(57)【要約】【課題】カードの包装体として開示されている技術は、２種類のフィルムを積層した基材を使用し、材料が高価である上に、チューブを実装する際に空気が抜けにくいという欠点があった。【解決手段】上記課題解決のために、耐熱性を有する透明な基材からなるラミネートシートであって、基材の片側全面に基材より軟化温度が低い感熱接着剤層が形成され、ラミネートシートの中央に、ラミネートシートを左右対称形に二分する折り畳み用縦ミシンが形成され、折り畳み用縦ミシンの中心から外れた部分で折り畳み用縦ミシンに直角に交わり、ラミネートシートを上下に二分する直線状の折り畳み用横ミシンが形成されたラミネートシートを提供する。【選択図】  図１
2007191171.tif 000002
【特許請求の範囲】
【請求項１】
耐熱性を有する透明な基材からなるラミネートシートであって、
基材の片側全面に基材より軟化温度が低い感熱接着剤層が形成され、
ラミネートシートの中央に、ラミネートシートを左右対称形に二分する折り畳み用縦ミシンが形成され、
折り畳み用縦ミシンの中心から外れた部分で折り畳み用縦ミシンに直角に交わり、ラミネートシートを上下に二分する直線状の折り畳み用横ミシンが形成されたことを特徴とするラミネートシート。
【請求項２】
請求項１に記載のラミネートシートにおいて、
折り畳み用縦ミシンと折り畳み用横ミシンによって四つに分断されたシートはそれぞれ長方形を成すことを特徴とするラミネートシート。
【請求項３】
請求項１〜２何れかに記載のラミネートシートにおいて、
折り畳み用縦ミシンの片側に、折り畳み用横ミシンに対して対称な位置に少なくとも一対の開口部が形成されたことを特徴とするラミネートシート。
【請求項４】
請求項１〜３何れかに記載のラミネートシートの使用方法であって、
まず、折り畳み用横ミシン部で感熱接着剤層が内側になるようにラミネートシートを折り畳み、
次に、二つ折りにされた前記ラミネートシートを感熱接着剤層が露出している側を対面させるように折り畳み用縦ミシン部で折り畳み、
熱を加えて圧着し、基材同士が対面する収納部に収納物を収納して使用することを特徴とするラミネートシートの使用方法。
【発明の詳細な説明】
【技術分野】
【０００１】
本発明は、収納部付きＩＤ証などを作製するためのラミネートシートおよびその使用方法に関する。
【背景技術】
【０００２】
近年、社員が多い企業では、業務中は、入場を許可された者であることが判るように、社員証をケースなどに収納し、見える状態で所持することを義務付けている。
また、展示会などでは、展示場内では関係者であることを明確にするために、所定の印刷が施されたＩＤ証を両面からシールし、紐などで首にかけてることを義務付けられる。
そこで、ＩＤ証のような挿入物の出し入れが容易で、しかも接着面が剥がれにくく、比較的高度な加工技術を要せずに製造し得る構造の「カードの包装体」が提供されている（例えば、特許文献１参照）。
前述の特許文献１に記載の技術は、融点の低いフィルムとこれより融点の高いフィルムを積層した透明な外層合成樹脂シートを、融点の低いフィルムを内側にして２枚対向させ、これらの融点の低いフィルム間にカードを挟み、かつ融点の低いフィルムの一方とカードとの間の一部に、外側に融点の低い合成樹脂層を備え内側にこれより融点が高くチューブ成型可能の柔軟性のある合成樹脂より成るチューブ本体から構成される内挿合成樹脂チューブを圧扁して挟み、前記外層合成樹脂シートを互に上記融点の低いフィルムの融点にて融着させて前記カードおよび内挿合成樹脂チューブの外面を固定し、該内挿合成樹脂チューブの対向面を非接着すると共に得られる包装体の少なくとも一辺に開口部を有する厚さの薄い物品の収納部を形成したものである。
【０００３】
【特許文献１】特開２００１−３０１８２１号公報
【発明の開示】
【発明が解決しようとする課題】
【０００４】
前述の、特許文献１に開示されている技術は、カードの包装体として２種類のフィルムを積層した基材を使用しなければならず、また、チューブを実装する際に空気が抜けにくいという欠点があった。
【課題を解決するための手段】
【０００５】
前記課題を解決するために、本発明のラミネートシートの、第一の発明は、耐熱性を有する透明な基材からなるラミネートシートであって、基材の片側全面に基材より軟化温度が低い感熱接着剤層が形成され、ラミネートシートの中央に、ラミネートシートを左右対称形に二分する折り畳み用縦ミシンが形成され、折り畳み用縦ミシンの中心から外れた部分で折り畳み用縦ミシンに直角に交わり、ラミネートシートを上下に二分する直線状の折り畳み用横ミシンが形成されたことを特徴とするものである。
【０００６】
また、第二の発明は、第一の発明において、折り畳み用縦ミシンと折り畳み用横ミシンによって四つに分断されたシートは、それぞれ長方形を成すことを特徴とするものである。
【０００７】
また、第三の発明は、第一，第二何れかの発明において、折り畳み用縦ミシンの片側に、折り畳み用横ミシンに対して対称な位置に少なくとも一対の開口部が形成されたことを特徴とするものである。
【０００８】
また、第四の発明は、第一，第二，第三何れかの発明のラミネートシートの使用方法であって、まず、折り畳み用横ミシン部で感熱接着剤層が内側になるようにラミネートシートを折り畳み、次に、二つ折りにされた前記ラミネートシートを感熱接着剤層が露出している側を対面させるように折り畳み用縦ミシン部で折り畳み、熱を加えて圧着し、基材同士が対面する収納部に収納物を収納して使用することを特徴とするものである。
【発明の効果】
【０００９】
１）第一の発明のように、耐熱性を有する透明な基材からなるラミネートシートであって、基材の片側全面に基材より軟化温度が低い感熱接着剤層が形成され、ラミネートシートの中央に、ラミネートシートを左右対称形に二分する折り畳み用縦ミシンが形成され、  折り畳み用縦ミシンの中心から外れた部分で折り畳み用縦ミシンに直角に交わり、ラミネートシートを上下に二分する直線状の折り畳み用横ミシンが形成されたことによって、積層構成が単純で、また、一度の打ち抜きによって得られるため、収納部付きラミネートシートを安価に提供することができる。
２）また、第二の発明のように、第一の発明において、折り畳み用縦ミシンと折り畳み用横ミシンによって四つに分断されたシートは、それぞれ長方形を成すことによって、中に挟みこむ印刷物を作製し易くすることができる。また、収納部に名刺など長方形の収納物が収容し易くなる。
３）また、第三の発明のように、第一，第二何れかの発明において、折り畳み用縦ミシンの片側に、折り畳み用横ミシンに対して対称な位置に少なくとも一対の開口部が形成されたことによって、収納部に収納された収納物を取り出し易くすることができる。
４）また、第四の発明のように、第一，第二，第三何れかの発明のラミネートシートの使用方法であって、まず、折り畳み用横ミシン部で感熱接着剤層が内側になるようにラミネートシートを折り畳み、次に、二つ折りにされた前記ラミネートシートを感熱接着剤層が露出している側を対面させるように折り畳み用縦ミシン部で折り畳み、熱を加えて圧着し、基材同士が対面する収納部に収納物を収納して使用することによって、簡単な準備動作によってラミネート直前の状態にすることができ、熱圧着ローラの間を一回通過させるだけで収納部付きラミネート物を作製することができる。
【発明を実施するための最良の形態】
【００１０】
以下、図面を参照して、本発明のラミネートシートについて説明する。
図１は、本発明のラミネートシートの一例について説明するための図，図２は、本発明のラミネートシートの折り畳み手順について説明するための図，図３は、本発明のラミネートシートの、他の一例の折り畳み手順について説明するための図，図４は、本発明のラミネートシートへの収納物の収納手順について説明するための図，図５は、図４のＡ−Ａ線断面の一例について説明するための図，である。
【００１１】
図１を参照して、本発明のラミネートシートの一例について説明する。
ラミネートシート１は、透明な基材の片面全面に、図示しないが、透明な感熱接着剤層が形成され、破線状に形成された切込み（以下、ミシンという）によってシートＡ，Ｂ，Ｃ，Ｄに分断されている。
ラミネートシートの中央部には、ラミネートシートを左右に二分する折り畳み用縦ミシン１１が形成されている。
また、折り畳み用縦ミシン１１の中心から下方にずれた部分で、シートを上下に二分する折り畳み用横ミシン１２が折り畳み用縦ミシン１１に直角に交わるように形成されている。
折り畳み用縦ミシン１１，折り畳み用横ミシン１２は、共に、シートの基材と感熱接着剤層を貫通する状態で形成されている。
【００１２】
折り畳み用縦ミシン１１の左右の形状は、折り畳み用縦ミシン１１に対して線対称になっており、折り畳み用縦ミシン１１で折り畳んだときに、シートＡとシートＢ，シートＣとシートＤが重なり合うようになっている。
また、折り畳み用横ミシン１２で、シートＣ，ＤをシートＡ，Ｂ側に折り畳んだときに、シートＣ，Ｄは、シートＡ，Ｂの内側に内包される大きさになっている。
シートＣ，Ｄを、シートＡ，Ｂ側に折り畳む際は、感熱接着剤層（図示せず）が内側になるように折り畳む。
【００１３】
図２を参照して、本発明のラミネートシートの折り畳み手順について説明する。
ａ図のラミネートシート１を、折り畳み用横ミシン１２で、感熱接着剤層４を内側にして折り畳む。その結果、ｂ図に示すような折り畳み中間物１０ができ上がる。
ｂ図に示す折り畳み中間物１０を、折り畳み用縦ミシン１１で感熱接着剤層が内側になるように折り畳んでｃ図のようなラミネート直前のラミネートシート１００にする。
ｂ，ｃ図で判るように、ラミネートシート１が、折り畳み用横ミシン１２で折り畳まれたときに収納部を形成するシートＣ，Ｄの部分は、シートＡ，Ｂの内側に収まるようになっており、シートＡ，ＢとシートＣ，Ｄの間の重ならない部分は、収納部を形成するための接着代になっている。
【００１４】
図３を参照して、本発明のラミネートシートの、他の一例の折り畳み手順について説明する。
図３に示すラミネートシート１の例は、図２で説明したシートＢとシートＤに開口部を設けた例である。開口部を設けることによって、収納部に収納物を収納したときに、収納物が取り出し易くなるという効果を発揮する。
開口部１４は、シートＢとシートＤの間の折り畳み用横ミシン１２の上に形成される。
折り畳み用横ミシン１２でシートＢとシートＤを折り畳んだときに、シートＤに形成された開口部１５は、シートＢに形成された開口部１３にぴったり重なる。即ち、開口部１３と開口部１５は、折り畳み用横ミシン１２に対して対称位置に形成される。
ｄ図に示すように、ラミネートシート１を、折り畳み用横ミシン１２で感熱接着剤層（図示せず）を内側にして折り畳む。その結果、ｅ図に示すような折り畳み中間物１０ができ上がる。
次に、ｅ図に示す折り畳み中間物１０を折り畳み用縦ミシン１１で感熱接着剤層が内側になるように折り畳んで、ｆ図に示すようなラミネート直前のラミネートシート１００にする。
ｄ図，ｅ図で判るように、ラミネートシート１が、折り畳み用横ミシンで折り畳まれたときに収納部を形成するシートＣ，Ｄの部分に半円形の収納物取出し口となる開口部１４と、位置的に合致する開口部１３，１５によって収納物取出し口が形成される。
この開口部１３，１５による収納物取出し口は、ラミネートされた後は、収納部の片側に形成された状態になっている。
【００１５】
図４を参照して、本発明のラミネートシートへの収納物の収納手順について説明する。
ラミネートシートを、図３で説明した折り畳み中間物１０の状態にし、シートＡと、シートＣの間に、シートＡより小さめに作製した印刷物２を差込み、矢印の右側の、ラミネート直前のラミネートシート１００にする。
図示しないが、折り畳み用縦ミシンの方向から熱と圧力によってラミネートする。
【００１６】
でき上がったラミネート物１０１の収納部１０２に、例えば、名刺３を収納して、矢印の右側のようにして使用する。
ラミネート物１０１を吊るして使用する場合は、ラミネート物１０１の上部に開けた孔５に紐を通して首などから下げて使用する。
【００１７】
図５を参照して、図４のＡ−Ａ線断面の一例について説明する。
ラミネート物１０１は、折り畳み用横ミシン１２で折り畳まれたシート基材１０００が上下に二層重ねられて、接着剤４でラミネートされている。
下の層には、シート基材の間に印刷物２がラミネートされている。
収納部１０２に収納された名刺３の上下は、ラミネート基材面になっているために、接着しない空間部となっており、物を収納できるようになっている。
【００１８】
図５を参照して、本発明のラミネートシートに使用される材料について説明する。
基材１０００は、印刷物２にプリントされた固有情報が読取れればよいので、透明な紙でも、プラスチックでもよい。
但し、加熱圧着時に変形するものであってはならない。
好適には、二軸延伸ポリエチレンテレフタレートフィルム，６−６ナイロンなどから選択して使用する。
前記基材がポリエチレンテレフタレートフィルムであれば、ポリエステル系物質あるいはイミン系物質をコーティングして表面改質層を形成し、感熱接着剤層４としてポリエチレン系樹脂を溶融押出しによって塗布し、二軸延伸ポリエチレンテレフタレートフィルム／ポリエステル系物質あるいはイミン系物質／ポリエチレン系樹脂、の層構成よりなる公知のラミネートフィルムを作製する。
印刷物２に使用される紙については特に限定しないが、ラミネートされた後で透明になら無い紙を選択する。
【産業上の利用可能性】
【００１９】
展示会などイベントで利用できる。イベントで使用する場合は、イベントへの参加許可証やＩＤ証をラミネートし、収納部には自分の名刺やＩＤカードを収納して使用する。
【図面の簡単な説明】
【００２０】
【図１】本発明のラミネートシートの一例について説明するための図である。
【図２】本発明のラミネートシートの折り畳み手順について説明するための図である。
【図３】本発明のラミネートシートの、他の一例の折り畳み手順について説明するための図である。
【図４】本発明のラミネートシートへの挿入物の挿入手順について説明するための図である。
【図５】図４のＡ−Ａ線断面の一例について説明するための図である。
【符号の説明】
【００２１】
１      本発明のラミネートシート
２      印刷物
３      収納物
４      接着剤層
５      孔
１０    折り畳み中間物
１１    折り畳み用縦ミシン
１２    折り畳み用横ミシン
１３，１４，１５  開口部
１００  ラミネート直前のラミネートシート
１０１  ラミネート物
１０２  収納部
１０００  シート基材
【図１】
2007191171.tif 000003
【図２】
2007191171.tif 000004
【図３】
2007191171.tif 000005
【図４】
2007191171.tif 000006
【図５】
2007191171.tif 000007